(57)【要約】【課題】ユーザーが自由に位置情報や画像を記録することができるとともに、これらの画像を１つの記録媒体上に記録する場合に、記録品位の低下を抑制する。【解決手段】同じ記録媒体に黒点のパターン（Ｓ３０５：Ｂｋ）が記録されることを考慮し、ＣＭＹデータの生成（Ｓ３０２）において、黒点のパターンを記録するデューティーに基づきＣＭＹの各階調値を低下する処理を行い、これにより、記録される画像が全体として黒味がかって記録されることを抑制する。【選択図】        図５
2004167818.tif 000002
【特許請求の範囲】
【請求項１】
それ自体の記録位置に対応付けられる位置情報の画像とその他の画像を１つの記録媒体上に記録するための記録方法であって、
前記位置情報画像を記録するための記録データに基づいて、当該位置情報画像の記録にかかる情報を取得し、
該取得した記録にかかる情報に基づいて、当該位置情報画像が記録されるのに対応して前記その他の画像の記録にかかる所定の記録量が変更されるよう、当該その他の画像の記録データを補正し、
前記位置情報画像の記録データと前記補正されたその他の画像の記録データとに基づいて前記１つの記録媒体に記録を行う、
ステップを有したことを特徴とする記録方法。
【発明の詳細な説明】
【０００１】
【発明の属する技術分野】
本発明は記録方法に関し、詳しくは、所定の位置情報を示す画像と通常の画像を１つの記録媒体上に記録するための記録方法に関するものである。
【０００２】
【従来の技術】
従来、シアン（Ｃ），マゼンタ（Ｍ），イエロー（Ｙ）等のカラーインク、またはこれらにブラック（Ｂｋ）インクを加えた複数色のインクを使用して記録媒体に記録を行う記録装置が知られている。
【０００３】
一方、文字などを手書することができる記録媒体として、例えば、その記録領域の全域に渡って所定の位置情報が予め印刷されたものが知られている。この位置情報は、それ自体が記録媒体において記録される位置を示す情報、つまり記録位置が記録媒体上の座標と関連付けられる情報を含むものであり、例えば、記録領域内に記録された複数の黒点パターンの組合せなどによって表すことができる。
【０００４】
このような位置情報が記録された記録媒体上に文字などを手書きする場合、画像の検出・読み取りが可能な小型カメラと一体化されたペンを用いることにより、記録媒体上におけるペン先の位置の周囲の上記パターンを上記カメラによって検出し、そのパターンから文字が書かれた位置およびその軌跡である文字等を認識することができる。なお、この手書き文字などの認識は、カメラの検出信号を、例えば無線通信を介してカメラからパーソナルコンピュータなどの種々の情報処理装置に送り、その情報処理装置による処理によって行うことができる。以下、このようなペンを用いて手書き文字などを入力する方法を「ペン入力法」ともいう。
【０００５】
【発明が解決しようとする課題】
しかしながら、上記のような位置情報は予め記録媒体に印刷されたものであり、ユーザーは、この位置情報が、例えば記録媒体の全面に印刷された記録媒体を購入して使用することなる。このため、記録媒体の使用目的に応じて、例えば、手書き位置を特定する領域の形状、サイズ、相対的位置などを柔軟に設定できないなど、位置情報を記録媒体に自由に記録して使用することができなかった。また、このような位置情報が印刷済みの記録媒体を用い、これに記録装置を用いて画像を記録しようとする場合、上述した位置情報の読み取りが阻害されて、最早、その位置情報としての機能を果たさなくなるおそれもある。このため、ユーザーは、記録装置により、位置情報が印刷済みの記録媒体に対して任意の画像を自由に記録することができなかった。
【０００６】
一方、記録装置によって以上のような位置情報をも記録することが考慮されるが、その場合は逆に、位置情報の記録によって画像の記録品位が低下するおそれがある。
【０００７】
本発明は、上述の問題を解消するためになされたものであり、その目的とするところは、ユーザーが自由に位置情報や画像を記録することができるとともに、画像の記録品位の低下を抑制することができる記録方法を提供することにある。
【０００８】
【課題を解決するための手段】
そのために本発明では、それ自体の記録位置に対応付けられる位置情報の画像とその他の画像を１つの記録媒体上に記録するための記録方法であって、前記位置情報画像を記録するための記録データに基づいて、当該位置情報画像の記録にかかる情報を取得し、該取得した記録にかかる情報に基づいて、当該位置情報画像が記録されるのに対応して前記その他の画像の記録にかかる所定の記録量が変更されるよう、当該その他の画像の記録データを補正し、前記位置情報画像の記録データと前記補正されたその他の画像の記録データとに基づいて前記１つの記録媒体に記録を行う、ステップを有したことを特徴とする。
【０００９】
以上の構成によれば、位置情報画像が記録されるのに対応してその他の画像の記録にかかる所定の記録量が変更されるよう、当該その他の画像の記録データを補正するので、位置情報画像が、例えば黒点のパターンであるよう場合には、その黒点が記録される分、その他の画像を記録するための記録データである、例えば、ＣＭＹの階調値を下げてＣＭＹの色材の混色の濃度を全体的に小さくでき、これにより、画像が全体的に黒味がかって記録されることを抑制することができる。
【００１０】
【発明の実施の形態】
以下、図面を参照して本発明の実施形態を詳細に説明する。
【００１１】
（第１実施形態）
図１は、本発明を適用可能な記録装置の例として、インクジェット記録装置を説明するための図である。
【００１２】
インクジェット記録装置（本実施形態ではプリンタ形態の装置）１００の前側の給紙位置から矢印Ｐ方向に挿入された記録媒体１０５は、記録装置１００の後側にて搬送方向が反転されてから、送りローラ１０６によって矢印Ｒの副走査方向に送られて、記録ヘッド１０４の記録可能領域へ搬送される。記録可能領域における記録媒体１０５の下側位置には、プラテン１０７が設けらている。キャリッジ１０１は、２つのガイド軸１０２，１０３によって、それらの軸方向に沿う矢印Ｑ１，Ｑ２の主走査方向に移動可能となっており、不図示のステッピングモータの駆動により、記録領域を含む走査領域を往復走査する。キャリッジ１０１には、吐出口からインクを吐出可能な記録ヘッド１０４が搭載されている。記録ヘッド１０４の１回の主走査の終了後、記録媒体１０５を矢印Ｒの副走査方向に一定量だけ送ってから、次の主走査に備える。これらの主走査と副走査を繰り返すことによって、記録媒体１０５の１頁に画像を記録する。
【００１３】
本例の記録ヘッド１０４は、インクを収容するインクタンクと分離可能な形態または一体的に結合された形態でインクジェットカートリッジを構成する。記録ヘッド１０４は、インクタンクから供給されたインクを図中下向きの吐出口から記録媒体１０５に向かって吐出することによって、その記録媒体１０５上に画像を記録する。また、１０８はスイッチ部と表示部の配置部位であり、スイッチ部は記録装置の電源のオン／オフの切り替えや各種記録モードの設定等に使用され、表示部は記録装置の状態を表示可能に構成されている。
【００１４】
また、本例の記録ヘッド１０４はＹ，Ｍ，Ｃ，Ｂｋ（イエロー，マゼンタ，シアン，ブラック）の４色のインクを吐出可能であり、Ｙ，Ｍ，Ｃインク吐出用の吐出口数は各１２８、Ｂｋインク吐出用の吐出口数は３２０である。各インク色毎の吐出口は副走査方向に列状に配置されており、それらの吐出口の配置ピッチは、１／６００ｄｐｉ（ドット／インチ）に相当する約４２ミクロンである。記録ヘッド１０４は、吐出口ごとに電気熱変換体であるヒータを備え、このヒータが発生する熱エネルギーを利用してインクに気泡を生じさせ、この気泡の圧力によってインクを吐出する方式のものである。また、記録ヘッド１０４の駆動周波数は１５ｋＨｚであり、主走査方向に対して６００ｄｐｉの密度で記録動作が可能である。したがって、記録動作時のキャリッジ１０１の主走査方向の移動速度は２５ｉｎｃｈ／ｓ（インチ／秒）となる。
【００１５】
ここで、Ｂｋインクは、後述されるように、カーボンブラックを含む顔料を色材としたインク（以下、「カーボンＢｋインク」ともいう）であり、一方、Ｙ，Ｍ，Ｃの各インクは染料を色材としたインク（以下、「染料インク」ともいう）である。また、カーボンＢｋインクの吐出量は約３０ｐｌ（ピコリットル）、Ｙ，Ｍ，Ｃの各染料インクの吐出量は各約５ｐｌであり、１ドットの形成毎に、これらの体積の液体インクが吐出される。この記録装置による記録解像度は６００×６００ｄｐｉであり、記録媒体１０５は普通紙と呼ばれる通常使用の記録媒体を使用し、記録ヘッド１０４から吐出されるＢｋインク滴は１／６００インチ角の記録領域中に１ドットを形成し、Ｙ，Ｍ，Ｃのカラーインク滴は１／６００インチ角の記録領域中に２ドットを形成する。これらの数値は、同じ普通紙でも記録媒体１０５の特性に応じて変化する場合がある。本例の記録装置は、一般的に入手でき広く用いられている記録媒体の特性に合わせた設計となっている。
【００１６】
図２は、上記インクジェット記録装置における制御構成の主要部を示すブロック図である。上位（ホスト）装置５００から下位装置である記録装置１００に対して、記録すべき文字や画像の記録データが送信され、そのデータが受信バッファ４０１に蓄えられる。また、正しくデータが転送されているかどうかを確認するためのデータ、および記録装置１００の動作状態を知らせるためのデータが記録装置１００からホスト装置５００に送信される。ここで、上位装置５００とは、ＰＣ（パーソナルコンピュータ）やデジタルカメラ等であり、下位装置である記録装置１００に対して記録デ−タの送信が可能な装置である。
【００１７】
受信バッファ４０１に蓄えられたデータは、ＣＰＵ４０２の管理下において、記録ヘッド１０４の主走査時に記録を行うためのデ−タに加工され、ランダムアクセスメモリ部（ＲＡＭ）４０３内のプリントバッファ部に記憶される。プリントバッファ部のデータは、記録ヘッドコントロール部４１０によって記録ヘッド１０４に転送され、そのデータに基づいて記録ヘッド１０４が駆動されることにより各色のインク吐出が行われ、文字などを含む画像が記録される。また、記録ヘッドコントロール部４１０は、記録ヘッド１０４の状態を示す温度情報等を検出してＣＰＵ４０２に送り、その情報に基づいて記録ヘッドコントロール部４１０が記録ヘッド１０４の駆動を制御する。
【００１８】
機械コントロール部４０４は、ＣＰＵ４０２からの指令により、キャリッジ１０１移動用のキャリッジモータや記録媒体１０５搬送用のラインフィードモータ等の機械部４０５を駆動制御する。センサ／ＳＷコントロール部４０６は、各種センサやＳＷ（スイッチ）からなるセンサ／ＳＷ部４０７からの信号をＣＰＵ４０２に送る。表示素子コントロール部４０８は、ＣＰＵ４０２からの指令に応じて、表示パネル群のＬＥＤや液晶表示素子等からなる表示部４０９を制御するように構成されている。
【００１９】
記録装置１００は、複数の記録モードの中からユーザーの選択入力に応じた記録モードを選択し、その選択された記録モードによって画像の記録が可能な構成となっている。例えば、高速に記録したい場合には１パス記録のモードを選択し、画像を高品位に記録したい場合には１６パス記録のモードを選択する。１パス記録モードは、同一の記録領域に対して記録ヘッド１０４の１回の記録走査によって画像を記録するためのモードであり、１６パス記録モードは、同一の記録領域に対して記録ヘッド１０４の副走査方向の位置を所定量づつずらしながら（記録媒体の搬送をしながら）、１６回の主走査によって画像を記録するためのモードである。
【００２０】
図３は、図２に示した上位装置としてのホストコンピュータ５００の構成を示すブロック図であり、このホストコンピュータ５００と図２にて説明した記録装置１００は、記録システムを構成する。
【００２１】
図３において、ホストコンピュータ５００は、ＣＰＵ２０２と、メモリ２０３と、外部記憶装置２０４と、入カ部２０５と、記録装置１００であるインクジェットプリンタとのインターフェイス２０６と、を備えている。ＣＰＵ２０２は、メモリ２０３に格納された種々のプログラムに従い各種の処理を実行し、例えば、入力部２０５を介したユーザの入力に応じて、画像（本明細書では文字などのキャラクタを含む）の作成、編集にかかる処理を実行する。そして、このような画像を記録する場合、上記プログラムの１つであるプリンタドライバによって、図５にて後述される、色変換等の画像処理を行ない、記録装置１００で用いる記録データを作成する。詳しくは、上記作成、編集された画像のＲ、Ｇ、Ｂデータに対して、色変換、出力γ補正、量子化（２値化）など所定の画像処理を行い、Ｃ、Ｍ、Ｙの２値データを得る。また、この画像処理において、図４にて後述される黒点パターンを記録するためのカーボンＢｋインク用のＢｋの２値データを得る。ホストコンピュータ５００は、インターフェイス２０６を介して記録装置１００に接続されており、このような画像処理によって得られた記録データが記録装置１００に送られることにより記録が行われる。
【００２２】
なお、上記各種プログラムは、外部記憶装置２０４に記憶されてもよく、あるいは外部装置から供給される形態でもよい。
【００２３】
図４は、上述したペン入力法において用いられる位置情報の一例を説明する図であり、本実施形態では、この位置情報を記録装置１００によって記録する。詳しくは、１つの記録媒体に、この位置情報をカーボンＢｋインクによって記録し、また、位置情報以外の通常の画像をＣ、Ｍ、Ｙの各染料インクで記録する。
【００２４】
位置情報は、記録媒体１０５上における記録可能な領域の、例えば、全域に渡って点在する黒点の所定のパターンとして記録される。詳しくは、黒点は、記録媒体１０５上において想定した所定間隔の格子点を基準に記録され、例えば、格子間隔が約０．３ｍｍの各格子点の近傍に１つずつ記録される。図４に示すように、黒点の記録位置は格子点に対する位置関係により４つあり、格子点よりも上の位置Ｕ、格子点よりも下の位置Ｄ、格子点よりも右の位置Ｒ、格子点よりも左の位置Ｌのいずれかである。そして、このような黒点の所定の複数が形成する位置のパターンが「位置情報」を構成する。具体的には、例えば、格子点の所定の２次元配列におけるそれぞれの格子点近傍に記録される黒点の位置のパターンを、上記２次元配列で構成される単位領域毎に異ならせることにより、それぞれの位置パターン、つまり上記Ｕ、Ｄ、Ｒ、Ｌの組合せが、その単位領域の「位置情報」となる。この位置情報は、上述したように、ペン先端のカメラが黒点のパターン（位置情報の画像）を検出し、その位置パターンを単位領域ごとに読取ることにより、そのペン先がおかれた記録媒体における位置を知ることができ、あるいはペン先がおかれた位置が予め定めた記録媒体上の特定の領域であることを知ることができる。
【００２５】
また、この「位置情報」は、上記Ｕ、Ｄ、Ｒ、Ｌの組合せの場合の数を考慮すると、１枚の記録媒体の範囲を遥かに超えた膨大な仮想平面における位置を示す情報として利用することもできる。例えば、黒点の位置パターンとして同一のパターンを２度以上記録しない場合には、位置パターンと記録媒体個々を対応付けることによって、その黒点による位置パターンが記録された記録媒体１枚、１枚を特定することも可能となる。
【００２６】
以上のような位置情報が記録された記録媒体１０５上に文字などを手書きする場合には、小型カメラと一体化されたペン（ペン一体型カメラ）を用いることにより、上記のように「位置情報」を知ることができるとともに、このペンによって手書きされた文字などを含む画像を読み取ることができる。すなわち、そのペン先が移動する位置の軌跡を上記「位置情報」によって知ることができ、これにより、手書き文字などを認識することができる。なお、この手書き文字などの認識は、カメラの検出信号を入力する種々の情報処理装置によって行うことができる。
【００２７】
このようにカメラによって黒点のパターンを検出すべく、本例では、上述のとおり、このパターンはカーボンＢｋインクによって記録され、また、カメラはそのインクによる記録媒体１０５上のカーボンを検出する構成となっている。また、通常の画像は、カーボンを含まないＹ，Ｍ，Ｃの染料インクによって記録される。すなわち、本例のカメラは、これらの染料には反応せず、これらの画像は検出できない。
【００２８】
図５は、本発明の第１の実施形態にかかる画像処理の手順を示すフローチャートであり、上述したようにホストコンピュータ５００におけるプリンタドライバによる処理を示す。
【００２９】
本実施形態では、「ペン入力法」を可能とするたの黒点パターンを記録するためのカーボンＢｋインク用のＢｋ１ビットデータを生成する。また、入力されるＲＧＢ各色８ビット（２５６階調）の画像データを記録装置１００で用いる各インクの色データである、ＣＭＹ各色１ビットデータを生成する処理を行う。この際、本実施形態では、同じ記録媒体に黒点のパターンが記録されることを考慮し、ＣＭＹデータの生成において以下に示すように所定の補正処理を併せて行い、これにより、画像が全体として黒味がかって記録されることを抑制する。
【００３０】
図５において、処理が開始されると、一方のルートでは、カーボンＢｋインク用のデータＢｋが生成される（ステップＳ３０５）。このデータは、図４にて上述した黒点のパターンを記録するためのデータであり、例えば、記録媒体全面に黒点パターンを記録してペンによって記入された位置および内容を知ろうとする場合、黒点パターンの上記単位領域をそれぞれのパターンが異なるよう記録媒体全面に対応して生成する。また、例えば、記録媒体における所定の領域を特定しペンによりその領域に記入が行われたこと、およびその内容を知りたい場合、その領域に、同様に上記単位領域をそれぞれのパターンが異なるよう領域全面に対応して生成する。
【００３１】
また、もう一方のルートでは、入力された記録すべき画像（上記位置情報の画像以外の「他の画像」）のＲＧＢ各色８ビットデータは、先ず、ステップＳ３０１で第１色変換処理が行われる。すなわち、ＲＧＢ各色８ビットデータは、第１の３次元ルックアップテーブル（ＬＵＴ）つまり、色変換テーブルによって、インクジェット記録装置１００の色再現域に合わせたＲＧＢ各色８ビットデータに変換される。
【００３２】
次に、ステップＳ３０２では、第２色変換処理を行なう。この処理は、第２の３次元ＬＵＴによって、上記変換されたＲＧＢデータを記録装置１００で用いるインクＣＭＹ各色の８ビットデータに変換する。すなわち、この処理は入力系のＲＧＢ系カラーから出力系のＣＭＹ系カラーに変換する処理である。入力データは、ディスプレイなど発光体の加法混色の３原色（ＲＧＢ）であることが多いが、カラーインクジェット記録装置ではＣＭＹのインクが色材として用いられるのでこの変換処理が行われる。
【００３３】
この第２色変換処理では、ステップＳ３０５で生成されているカーボンＢｋインク用のデータＢｋの情報を処理にかかる領域単位で参照し、それに基づいて、変換に用いる上記第２のＬＵТを切換える。ここで領域とは、例えば８ｘ８画素の６４画素をいう。詳細には、ステップＳ３０５で生成した黒点のＢｋデータに応じて、Ｂｋデータを記録する領域でその記録デューティーがゼロでない所定値となる領域の処理では、図７に示すＬＵТを用いる。一方、Ｂｋデータの記録デューティーがゼロとなる領域の処理は、図６に示すＬＵТを用いる。例えば、記録媒体全面に黒点のパターンを記録する場合は、図７に示すＬＵТが用いられる。図７のＬＵＴは、ＣＭＹの入力情報に対し、Ｂｋデータの情報から実際に記録するＣＭＹデータを補正する処理を含めたテーブルである。領域単位でＢｋデータを判断するメリットは、例えば、１頁全面が同じデューティーである場合には、全面を同じＬＵＴで参照することになり、高速処理可能となる、また簡易処理可能となる。これは例えば、１頁全面が同じデューティーである判別信号を準備し、そうであると判断された場合には、図７のＬＵＴのみを使用する処理により可能となる。
【００３４】
また、この例ではＢｋデータの参照を特定の領域単位としたが、画像処理する記録画素単位としても良い。例えば、６００ｐｐｉ（ｐｉｘｅｌ  ｐｅｒ  ｉｎｃｈ）の画素単位でＬＵＴを参照した処理を行い、得られたデータから、６００ｄｐｉ（ｄｏｔ  ｐｅｒｉｎｃｈ）の記録を行ってもよい。この場合はＳ３０２は、画素単位でＢｋデータを記録するかしないかの情報が得られれば良い。
【００３５】
図６に示すＬＵＴは、上記のようにカーボンＢｋインクによる黒点パターンが記録されない場合に用いられるものであり、第２色変換処理の入力ＲＧＢ各色８ビットデータの離散的な組み合わせに対する変換結果であるＣＭＹ各色８ビットデータを格納した３次元ＬＵＴである。同図に示すように、入力ＲＧＢ各色８ビットデータが、例えば、Ｒ＝Ｇ＝Ｂ＝０、すなわち、黒の場合は、ＣＭＹ各色８ビットデータは、Ｃ＝２０４、Ｍ＝２５５、Ｙ＝２３０である。
【００３６】
一方、図７は、上記のとおり、カーボンＢｋインクによる黒点パターンを記録する場合に用いられるものである。同図に示すように、入力ＲＧＢ各色８ビットデータが、例えばＲ＝Ｇ＝Ｂ＝０で黒の場合は、ＣＭＹ各色８ビットデータは、Ｃ＝１５０、Ｍ＝２００、Ｙ＝１８０である。このように、カーボンＢｋインクによる黒点パターンを記録する場合は、その記録領域でＣＭＹそれぞれの階調値を、黒点パターンの記録に対応させてそのパターンを記録しない場合に較べて小さくする補正をすることにより、記録されたときのＣＭＹの混色濃度を低下させ、その記録領域全体が黒味がかって記録されることを抑制することができる。このように、本来、カーボンＢｋインクは文字や画像の記録には必要ないが、ペン入力法のためのパターンを記録するものである。したがって、文字や画像データにとっては余分な記録データであり、このため、このカーボンＢｋインクのデータ分を補正するものである。
【００３７】
なお、この補正は、必ずしも濃度などの記録量を低下させるものとは限らず、位置情報を記録する色材が、黒点パターン以外の記録すべき通状の画像（本明細書では、「その他の画像」という）の記録に及ぼす影響を低減するように、その他の画像に係る画像処理における色変換等のパラメータを変更することを含むものである。
【００３８】
また、上記の色処理に用いられる第１および第２の３次元ＬＵＴは、離散的にデータを保持しており、保持しているデータの間は公知の補間処理で求める。
【００３９】
以上のように、色処理が施されて得られたＣＭＹ各色８ビットデータは、ステップＳ３０３で出力ガンマ補正、すなわち、１次元ＬＵＴを用いて出力γ変換を行う。単位面積当たりの記録ドット数と出力特性（反射濃度等）の関係は多くの場合に線形関係とはならないので、この出力γ補正を施すことにより、ＣＭＹ８ビットデータの入力レベルと、その時の出力特性との線形関係とを保証するものである。次に、本実施形態のカラーインクジェットプリンタ（記録装置１００）は２値プリンタであるので、上記ＣＭＹ各色８ビットデータは、ステップＳ３０４で量子化処理が施され、ＣＭＹ各色１ビットデータに量子化される。なお、量子化方法は、従来公知の誤差拡散法やディザ法が用いられる。そして、この２値データは、カーボンＢｋインクのデータＢｋとともに、記録装置１００ヘ送られて黒点パターンと画像が記録される（ステップＳ３０６）。なお、この記録は、これらのパターンと画像が同じ走査によって記録されてもよく、また、別個に記録されてもよい。
【００４０】
なお、上記の例では、図５に示したＢｋデータとＹＭＣ各色データの生成処理は、記録装置の上位装置であるホスト装置、具体的にはＰＣで行うものとしてが、これに限定されるものではなく、例えば、記録装置内でＢｋデ−タおよびＹＭＣ各デ−タを作成しても良い。このように、図５に示したＢｋデータとＹＭＣ各色データの生成処理を行う装置を、本明細書では「画像処理装置」という。
【００４１】
また、カーボンＢｋインクのデ−タを記録装置において作成するとともに、その領域ごとのデューティー情報をホスト装置へ送るようにし、ホスト装置では、ＹＭＣの各デ−タは、上記Ｂｋのデューティーに基づいて、上述したように生成しても良い。このデューティー情報は、例えばホスト装置と記録装置との双方向通信で行うことができる。また、このデューティー情報は、その記録する領域が決まっていれば、予め定められた固定値としてホスト装置に入力されるかもしくは保持されるようにしてもよい。さらに、カーボンＢｋインクのデータの発生は、特定の法則で決定されるため、記録装置内で簡単に発生可能であり、記録装置内で発生させることにより、上位装置から記録装置に転送するデータ量を削減できるメリットがある。
【００４２】
さらに、上例では、黒点のパターンを記録する領域のＢｋデータのデューティーに基づいて、ＣＭＹ各データの生成に係る色処理を行なうものとしたが、これに限られず、例えば、Ｂｋデータが存在する画素と同じ画素については、上記のように図７のテーブルを用いた処理とするように、Ｂｋデータの参照およびそれに基づく処理も画素ごとの処理としてもよい。
【００４３】
（第２実施形態）
上記実施形態では、カーボンを含まないインクとしてＣＭＹの各インクを使用する例を示したが、これに限定されるものではない。カーボンＢｋと、同じ黒であるが、カーボンを含まない黒の染料インクを、通常の画像記録のためＹＭＣの各染料インクに加えて用い、合計５色のインクを使用した系とすることもできる。
【００４４】
図８は、カーボンＢｋインクのデータＢｋ１と、染料ブラックインクのデータＢｋ２、および染料の各色インクのデータＹＭＣを生成する処理を示すフローチャートであり、図５に示した図と同様の図である。
【００４５】
実質的に異なる点は、ステップＳ４０２の第２色変換処理である。すなわち、この色変換処理で用いるＬＵТは、入力したＲＧＢデータからＣ、Ｍ、Ｙ、Ｂｋ２のデータを生成する。Ｂｋ２は通常はＵＣＲ（下色除去処理）で生成されるが、本実施形態では、Ｃ、Ｍ、Ｙ、Ｂｋ２のデータを生成時に、Ｂｋ１データを参照し、ＵＣＲ処理は通常と異なる処理となる。Ｂｋ１データが存在する部分のＢｋ２はＢｋ１の記録成分が除去される。この処理により、Ｂｋ１データが存在する部分の記録画像が補正されたＣ、Ｍ、Ｙ、Ｂｋ２データを得る。かかる画像処理によっても、同様に、黒点パターンを記録する場合でも、その記録領域の画像が黒味がかって記録されることを抑制することができる。
【００４６】
次に、上記各実施形態で使用するインクの処方を示す。
【００４７】
１、カーボンＢｋインク：Ｂｋ（実施形態１）、Ｂｋ１（実施形態２）
＜顔料分散体１＞比表面積が２６０ｍ２／ｇでＤＢＰ吸油量が１１５ｍｌ／１００ｇのカーボンブラック１０ｇと、ｐ−アミノ安息香酸２．５ｇとを水７２ｇによく混合した後、これに硝酸１．６２ｇを滴下して７０℃で攪拌した。ここにさらに数分後、５ｇの水に１．０７ｇの亜硝酸ナトリウムを溶かした溶液を加え、さらに１時間攪拌した。得られたスラリーを濾紙（商品名：東洋濾紙Ｎｏ．２；アドバンティス社製）で濾過し、濾取した顔料粒子を十分に水洗し、９０℃のオーブンで乾燥させた。さらに、この顔料に水を足して顔料濃度１０重量％の顔料分散体を作製した。以上の方法によりカーボンブラックの表面に下記化学式に示される基を導入した。
【００４８】
【化１】
2004167818.tif 000003
【００４９】
（カーボンＢｋインク）
以下の成分を混合し、十分攪拌して溶解後、ポアサイズ３．０μｍのミクロフィルター（富士フィルム製）にて加圧濾過してブラックインク１を調製した。
・上記の顔料分散体１                                    ３０部
・安息香酸アンモニウム                                    １部
・トリメチロールプロパン                                ６部
・グリセリン                                                        ５部
・ジエチレングリコール                                    ５部
・アセチレングリコールエチレンオキサイド付加
物（商品名：アセチレノールＥＨ）    ０．１５部
・水                                                        ５２．８５部
【００５０】
２、染料インク
Ｙ：（イエローインク）
以下の成分を混合し、十分攪拌して溶解後、ポアサイズ０．２μｍのミクロフィルター（富士フィルム製）にて加圧濾過し、イエローインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．ダイレクトイエロー８６                ３部
・水                                                                    ８１部
【００５１】
Ｍ：（マゼンタインク）
以下の成分を混合し、十分攪拌して溶解後、ポアサイズ０．２μｍのミクロフィルター（富士フィルム製）にて加圧濾過し、マゼンタインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．アシッドレッド３５                        ３部
・水                                                                    ８１部
【００５２】
Ｃ：（シアンインク）
以下の成分を混合し、十分攪拌して溶解後、ポアサイズ０．２μｍのミクロフィルター（富士フィルム製）にて加圧濾過し、シアンインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．アシッドブルー９                            ３部
・水                                                                    ８１部
【００５３】
Ｂｋ２：（ブラックインク）
以下の成分を混合し、十分攪拌して溶解後、ポアサイズ０．２μｍのミクロフィルター（富士フィルム製）にて加圧濾過し、シアンインク１を調製した。
・アセチレングリコールエチレンオキサイド付加
物（商品名：アセチレノールＥＨ）                １部
・ジエチレングリコール                                １０部
・グリセリン                                                        ５部
・Ｃ．Ｉ．フードブラック２              ３部
・水                                                                    ８１部
【００５４】
（他の実施形態）
上述した実施形態においては、カーボンを検出可能なペン一体型のカメラを用いて「ペン入力法」に対応して、位置情報をカーボン含有のＢｋインクによって黒点パターンを記録した。しかしながら、ペン入力法において、位置情報の記録材は、カ−ボン含有のＢｋインクのみに限定されるものではなく、ペン一体型のカメラによって検出可能な記録材であればよい。例えば、カーボン含有のＢｋインクの代わりに、蛍光染料を含むインクを用いてもよい。その場合には、ジアミノスチルベン系が蛍光特性を有していることから、ジアミノスチルベンスルホン酸誘導体などを使用することが可能である。ペン一体型のカメラには、紫外波長を高感度で検出可能なセンサ、あるいは、フイルターを使用することもできる。その場合には、明度の高い色の記録材によって位置情報を記録することにより、文字などを含む画像の品位の劣化を防止することできる。この点、カーボン含有のＢｋインクによって位置情報を記録した場合には、その位置情報が上述したような微小ドット（黒点）とはいえ人間の目には粒子として映り、記録したい文字などを含む画像を多少ではあるが劣化させるおそれがある。
【００５５】
また、これまでの実施形態では記録装置として、インクジェット記録装置の例で説明したがこれの限定されるものではない。黒点形成にカーボンを含有した記録、他の色形成にカーボンを含有しない記録系では、同じ効果を得ることができる。
【００５６】
（さらに他の実施形態）
本発明は上述のように、複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【００５７】
また、前述した実施形態の機能を実現するように各種のデバイスを動作させるように該各種デバイスと接続された装置あるいはシステム内のコンピュータに、図５、図８に示したような前記実施形態機能を実現するためのソフトウェアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００５８】
またこの場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。
【００５９】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００６０】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００６１】
さらに供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【００６２】
以下、本発明の実施態様を以下に示す。
【００６３】
［実施態様１］  それ自体の記録位置に対応付けられる位置情報の画像とその他の画像を１つの記録媒体上に記録するための記録方法であって、
前記位置情報画像を記録するための記録データに基づいて、当該位置情報画像の記録にかかる情報を取得し、
該取得した記録にかかる情報に基づいて、当該位置情報画像が記録されるのに対応して前記その他の画像の記録にかかる所定の記録量が変更されるよう、当該その他の画像の記録データを補正し、
前記位置情報画像の記録データと前記補正されたその他の画像の記録データとに基づいて前記１つの記録媒体に記録を行う、
ステップを有したことを特徴とする記録方法。
【００６４】
［実施態様２］  前記その他の画像の記録データを補正するステップは、前記所定の記録量として濃度を減少させることを特徴とする実施態様１に記載の記録方法。
【００６５】
［実施態様３］  前記位置情報画像の記録に係る情報は、当該位置情報画像が記録される領域の記録デューティーであることを特徴とする実施態様１または２に記載の記録方法。
【００６６】
［実施態様４］  前記位置情報画像は、カーボンブラックを含む色材によって記録することを特徴とする実施態様１ないし３のいずれかに記載の記録方法。
【００６７】
［実施態様５］  それ自体の記録位置に対応付けられる位置情報の画像とその他の画像を１つの記録媒体上に記録するための記録システムであって、
前記位置情報画像を記録するための記録データに基づいて、当該位置情報画像の記録にかかる情報を取得する取得手段と、
該取得した記録にかかる情報に基づいて、当該位置情報画像が記録されるのに対応して前記その他の画像の記録にかかる所定の記録量が変更されるよう、当該その他の画像の記録データを補正する補正手段と、
前記位置情報画像の記録データと前記補正されたその他の画像の記録データとに基づいて前記１つの記録媒体に記録を行う記録手段と、
を具えたことを特徴とする記録システム。
【００６８】
［実施態様６］  前記補正手段は、前記所定の記録量として濃度を減少させることを特徴とする実施態様５に記載の記録システム。
【００６９】
［実施態様７］  前記位置情報画像の記録に係る情報は、当該位置情報画像が記録される領域の記録デューティーであることを特徴とする実施態様５または６に記載の記録システム。
【００７０】
［実施態様８］  前記位置情報画像は、カーボンブラックを含む色材によって記録することを特徴とする実施態様５ないし７のいずれかに記載の記録システム。
【００７１】
［実施態様９］  記録装置は前記記録手段を構成し、前記記録装置の上位装置は、前記前記位置情報画像を記録するための記録データを生成することを特徴とする実施態様５ないし８のいずれかに記載の記録システム。
【００７２】
［実施態様１０］  記録装置は前記記録手段を構成し、前記記録装置の上位装置は前記取得手段および前記補正手段を構成し、および前記記録に係る情報は前記記録装置が発生することを特徴とする実施態様５ないし８のいずれかに記載の記録システム。
【００７３】
［実施態様１１］  前記記録装置は、インクジェト方式により記録を行うことを特徴とする実施態様９または１０に記載の記録システム。
【００７４】
［実施態様１２］  それ自体の記録位置に対応付けられる位置情報の画像とその他の画像を１つの記録媒体上に記録するための処理を行なう画像処理装置であって、
前記位置情報画像を記録するための記録データに基づいて、当該位置情報画像の記録にかかる情報を取得する取得手段と、
該取得した記録にかかる情報に基づいて、当該位置情報画像が記録されるのに対応して前記その他の画像の記録にかかる所定の記録量が変更されるよう、当該その他の画像の記録データを補正する補正手段と、
を具えたことを特徴とする画像処理装置。
【００７５】
［実施態様１３］  コンピュータに読み込まれることにより、それ自体の記録位置に対応付けられる位置情報の画像とその他の画像を１つの記録媒体上に記録するための処理を行なう画像処理を実行するためのプログラムであって、
前記画像処理は、
前記位置情報画像を記録するための記録データに基づいて、当該位置情報画像の記録にかかる情報を取得し、
該取得した記録にかかる情報に基づいて、当該位置情報画像が記録されるのに対応して前記その他の画像の記録にかかる所定の記録量が変更されるよう、当該その他の画像の記録データを補正する、
ステップを有したことを特徴とするプログラム。
【００７６】
［実施態様１４］  それ自体の記録位置に対応付けられる位置情報の画像とその他の画像を１つの記録媒体上に記録するための処理を行なう画像処理を実行するためのプログラムをコンピュータに読取り可能に記憶した記憶媒体であって、
前記画像処理は、
前記位置情報画像を記録するための記録データに基づいて、当該位置情報画像の記録にかかる情報を取得し、
該取得した記録にかかる情報に基づいて、当該位置情報画像が記録されるのに対応して前記その他の画像の記録にかかる所定の記録量が変更されるよう、当該その他の画像の記録データを補正する、
ステップを有したことを特徴とする記憶媒体。
【００７７】
【発明の効果】
以上説明したように本発明によれば、位置情報画像が記録されるのに対応してその他の画像の記録にかかる所定の記録量が変更されるよう、当該その他の画像の記録データを補正するので、位置情報画像が、例えば黒点のパターンであるよう場合には、その黒点が記録される分、その他の画像を記録するための記録データである、例えば、ＣＭＹの階調値を下げてＣＭＹの色材の混色の濃度を全体的に小さくでき、これにより、画像が全体的に黒味がかって記録されることを抑制することができる。
【００７８】
この結果、ユーザーが自由に位置情報や画像を記録することができるとともに、これらの画像を１つの記録媒体上に記録する場合に、記録品位の低下を抑制することが可能となる。
【図面の簡単な説明】
【図１】本発明を適用可能な記録装置の例として、インクジェット記録装置を説明するための図である。
【図２】上記インクジェット記録装置における制御構成の主要部を示すブロック図である。
【図３】図２に示した上位装置としてのホストコンピュータ５００の構成を示すブロック図である。
【図４】ペン入力法において用いられる位置情報の一例を説明する図である。
【図５】本発明の第１の実施形態にかかる画像処理の手順を示すフローチャートである。
【図６】図５に示す画像処理で用いる通常画像用のＬＵТを模式的に示す図である。
【図７】図５に示す画像処理で用いる黒点パターン用のＬＵТを模式的に示す図である。
【図８】本発明の第２の実施形態にかかる画像処理の手順を示すフローチャートである。
【符号の説明】
１００    記録装置
１０１    キャリッジ
１０２    ガイド軸ａ
１０３    ガイド軸ｂ
１０４    記録ヘッド
１０５    記録媒体
１０６    送りローラ
１０７    プラテン
１０８    スイッチ部と表示部
４０１    受信バッファ
４０２    ＣＰＵ
４０３    ランダムアクセスメモリ部
４０４    機械コントロール部
４０５    機械部
４０６    センサ／ＳＷコントロール部
４０７    センサ／ＳＷ部
４０８    表示素子コントロール部
４０９    表示素子部
４１０    記録ヘッドコントロール部
５００    上位装置（ホスト装置；ホストコンピュータ）
【図１】
2004167818.tif 000004
【図２】
2004167818.tif 000005
【図３】
2004167818.tif 000006
【図４】
2004167818.tif 000007
【図５】
2004167818.tif 000008
【図６】
2004167818.tif 000009
【図７】
2004167818.tif 000010
【図８】
2004167818.tif 000011